(57)【特許請求の範囲】
【請求項１】
フレームと、フレームに回動可能に取り付けられたドラムと、ドラムに巻かれたストラップと、ストラップ繰出方向規制機構とを備えており、
このストラップが繰り出されるとドラムが一方の回転向きに回転し、ドラムが他方の回転向きに回転するとストラップが巻き戻されるように構成されており、
ストラップを下方に繰り出す力を受けるとストラップ繰出方向規制機構がドラムの一方の回転向きの回転を阻止してストラップが繰り出されることを阻止する安全帯用巻取機。
【請求項２】
ストラップ繰出方向規制機構が、ドラムと一体に回転可能に取り付けられたラチェット歯車と、フレームに回動可能に取り付けられたレバーと、ラチェット歯車からラチェット歯車の半径方向に所定の距離を離されて位置するストッパーと、弾性体とを備えており、
ラチェット歯車が、歯を備えており、
レバーが、本体と、案内部と、アームとを備えており、
案内部が、ストラップ繰出口近傍に位置しており、
アームが、ラチェット歯車とストッパーの間に位置しており、
アームが、弾性体によりストッパーに付勢されており、
ストラップが下方に繰り出されると案内部が下方に回動させられて、アームが回動してラチェット歯車の歯に係合するように構成されており、
この係合により、ストラップが繰り出される一方の回転向きへのドラムの回転が阻止される機構である請求項１に記載の安全帯用巻取機。
【請求項３】
ストラップ繰出方向規制機構が、ドラムと一体に回転可能に取り付けられたラチェット歯車と、フレームに回動可能に取り付けられたレバーと、ラチェット歯車からラチェット歯車の半径方向に所定の距離を離されて位置するストッパーと、弾性体とを備えており、
ラチェット歯車が、歯を備えており、
レバーが、本体と、案内口と、アームとを備えており、
案内口が、ストラップ繰出口近傍に位置しており、
アームが、ラチェット歯車とストッパーの間に位置しており、
アームが、弾性体によりラチェット歯車に付勢されており、ラチェット歯車の歯に係合しており、
この係合により、ストラップが繰り出される一方の回転向きへのドラムの回転が阻止されており、
ストラップが、案内口を通されており、
ストラップが、上方に持ち上げられると案内口が上方に回動させられて、アームが回動してラチェット歯車の歯との係合が解除されるように構成された請求項１に記載の安全帯用巻取機。
【請求項４】
胴ベルトと、胴ベルトに連結された巻取機とを備えており、
この巻取機が、フレームと、フレームに回動可能に取り付けられたドラムと、ドラムに巻かれたストラップと、ストラップ繰出方向規制機構とを備えており、
このストラップが繰り出されるとドラムが一方の回転向きに回転し、ドラムが他方の回転向きに回転するとストラップが巻き戻されるように構成されており、
ストラップを下方に繰り出す力を受けるとストラップ繰出方向規制機構がドラムの一方の回転向きの回転を阻止してストラップが繰り出されることを阻止する安全帯。
【発明の詳細な説明】
【技術分野】
【０００１】
本発明は、高所作業等に使用される安全帯と、安全帯に用いられるストラップ巻取機とに関する。
【背景技術】
【０００２】
高所作業用安全帯は、その先端にフックが連結されたストラップを備えている。このストラップが命綱である。このストラップは胴ベルトに取り付けられたストラップ巻取機に収容されている。高所作業者は、安全帯の胴ベルトを身体に巻付ける。ストラップの先端に連結されたフックが構造物に係止される。高所作業者が一定の範囲で作業をする際にその作業位置に合わせてストラップ巻取機からストラップが繰り出される。このストラップ巻取機から繰り出せるストラップの最大長さは予め一定にされている。万が一、作業者が高所から落下した時には、この安全帯により作業者の墜落事故が防止される。
【０００３】
作業に必要な長さでストラップの繰り出しがロックされて使用されるストラップ巻取機がある。このストラップ巻取機では、ロックされた長さの範囲内で移動するとストラップが弛む。弛んだストラップが構造物に引っ掛かり作業者が不安定になる場合がある。また、ストラップが鋭利な構造物に引っ掛かれば切断されるおそれもある。更に、作業者が万が一、落下した場合には、ストラップがロックされている長さだけ落下することとなる。ストラップがロックされている長さが長い場合には、落下衝撃荷重が大きい。下層の構造物への激突の危険が大きい。落下による横方向の揺れが大きい場合には横方向の構造物への激突の危険もある。
【０００４】
これに対して、常時巻き取り機能を備えたストラップ巻取機がある。このストラップ巻取機では、フックが係止された位置から作業者が離れる場合にはその距離に応じてストラップが繰り出される。フックが係止された位置に作業者が近づく場合には常時巻き取り機能によりストラップが弛まないように巻き取られる。このストラップ巻取機は、ストラップの弛みによる危険を回避させる。しかし、作業者が落下した場合にはそのストラップは全長にわたり繰り出されて落下距離が長くなる。このストラップ巻取機では落下衝撃荷重が大きくなるおそれがある。このストラップ巻取機では落下による構造物への衝突の危険性も大きくなる。
【０００５】
作業者が万が一、落下した際の落下距離を短くして安全を確保するものとして、落下時の急激なベルト繰り出しを防止する機能を備えたストラップ巻取機が提案されている。このストラップ巻取機は、実用新案登録第３０９７９４３号公報、実用新案登録第３０９７９４４号公報に開示されている。
【０００６】
これらのストラップ巻取機では、遠心力で作動する遠心爪とこの遠心爪と係合する爪受け部を備えている。ストラップの急激な繰り出しには遠心力が働く。この遠心力により遠心爪が爪受け部に係合する。この係合によりドラムの回転が阻止される。これによりドラムに巻かれたストラップの繰り出しが阻止される。万一、作業者が高所から落下するとストラップ巻取機から急激にストラップが繰り出される。このストラップの急激な繰り出しにより、ドラムの回転が阻止される。このストラップ巻取機は落下時のストラップの繰り出し長さが短い。このストラップ巻取機では、作業者の落下距離が短い。落下衝撃荷重が小さい。構造物との衝突の危険性が抑制される。
【特許文献１】実用新案登録第３０９７９４３号公報
【特許文献２】実用新案登録第３０９７９４４号公報
【発明の開示】
【発明が解決しようとする課題】
【０００７】
安全帯のフックは作業者の上方の構造物に係止されることが望ましい。万一、作業者が高所から落下するとフックの係止位置からストラップの長さの距離を落下する。フックが上方の構造物に係止されることで、作業者の落下距離が短くされる。落下距離が短いことにより、落下衝撃荷重が小さい。下層の構造物に衝突する危険性も抑制される。しかしながら、作業者が作業中にフックを係合させるには、足下など下方の構造物の方が楽に取り付けられる。従来のストラップ巻取機では、ストラップは、上方、水平及び下方のいずれの方向にも繰り出すことができた。フックが下方の構造物に係止されている場合には、落下距離が長くなる。落下距離が長くなる分、危険は大きくなる。
【０００８】
作業者にフックを上方の構造物に係合するように指導しても、必ずしも守られるとは限らない。足下の構造物にフックを係合させる方が上方の構造物に係合させるより簡単な場合もある。作業者の安全は、確実に確保されなければならない。
【０００９】
本発明の目的は、ストラップ巻取機からのストラップの繰り出し方向を制限する繰り出し方向規制機構を備えたストラップ巻取機とこの巻取機を備えた安全帯の提供にある。
【課題を解決するための手段】
【００１０】
本発明に係る安全帯用巻取機は、フレームと、フレームに回動可能に取り付けられたドラムと、ドラムに巻かれたストラップと、ストラップ繰出方向規制機構とを備えている。この巻取機は、このストラップが繰り出されるとドラムが一方の回転向きに回転し、ドラムが他方の回転向きに回転するとストラップが巻き戻されるように構成されている。この巻取機では、ストラップを下方に繰り出す力を受けるとストラップ繰出方向規制機構がドラムの一方の回転向きの回転を阻止してストラップが繰り出されることを阻止する。
【００１１】
本発明に係る安全帯用巻取機は、以下の一の繰り出し方向規制機構をそなえている。一のストラップ繰出方向規制機構は、ドラムと一体に回転可能に取り付けられたラチェット歯車と、フレームに回動可能に取り付けられたレバーと、ラチェット歯車からラチェット歯車の半径方向に所定の距離を離されて位置するストッパーと、弾性体とを備えている。ラチェット歯車は、歯を備えている。レバーは、本体と、案内部と、アームとを備えている。案内部は、ストラップ繰出口近傍に位置している。アームは、ラチェット歯車とストッパーの間に位置している。アームは、弾性体によりストッパーに付勢さられている。このストラップ繰出方向規制機構では、ストラップが下方に繰り出されると案内部が下方に回動させられて、アームが回動してラチェット歯車の歯に係合するように構成されている。ストラップ繰出方向規制機構は、この係合により、ストラップが繰り出される一方の回転向きへのドラムの回転が阻止される機構である。
【００１２】
本発明に係る安全帯用巻取機は、以下の他の繰り出し方向規制機構をそなえている。他のストラップ繰出方向規制機構は、ドラムと一体に回転可能に取り付けられたラチェット歯車と、フレームに回動可能に取り付けられたレバーと、ラチェット歯車からラチェット歯車の半径方向に所定の距離を離されて位置するストッパーと、弾性体とを備えている。ラチェット歯車は、歯を備えている。レバーは、本体と、案内口と、アームとを備えている。案内口は、ストラップ繰出口近傍に位置している。アームが、ラチェット歯車とストッパーの間に位置している。アームは、弾性体によりラチェット歯車に付勢さられて、ラチェット歯車の歯に係合している。この係合により、ストラップが繰り出される一方の回転向きへのドラムの回転が阻止されている。ストラップは、案内口を通されている。このストラップ繰出方向規制機構では、ストラップが上方に持ち上げられると案内口が上方に回動させられて、アームが回動してラチェット歯車の歯との係合が解除されるように構成されている。
【００１３】
本発明に係る安全帯は、胴ベルトと、胴ベルトに連結された巻取機とを備えている。この巻取機は、胴ベルトと、胴ベルトに連結された巻取機とを備えている。この巻取機は、フレームと、フレームに回動可能に取り付けられたドラムと、ドラムに巻かれたストラップと、ストラップ繰出方向規制機構とを備えている。この巻取機は、このストラップが繰り出されるとドラムが一方の回転向きに回転し、ドラムが他方の回転向きに回転するとストラップが巻き戻されるように構成されている。この巻取機では、ストラップを下方に繰り出す力を受けるとストラップ繰出方向規制機構がドラムの一方の回転向きの回転を阻止してストラップが繰り出されることを阻止する。
【発明の効果】
【００１４】
本発明に係る安全帯用巻取機では、ストラップ繰出方向規制機構によりストラップを下方に繰り出すことが規制されている。作業者はストラップを上方に繰り出すこととなる。ストラップに連結されたフックは上方の建造物に係止される。これにより、万一の落下の際の落下距離が短くなる。
【発明を実施するための最良の形態】
【００１５】
以下、適宜図面が参照されつつ、好ましい実施形態に基づいて本発明が詳細に説明される。
【００１６】
図１は、本発明の一実施形態に係る巻取機を備えた安全帯が示された概念図である。この安全帯２は、胴ベルト４、ショックアブソーバ６、巻取機８及びフック１０を備えている。ショックアブソーバ６は、胴ベルト４に取り付けられている。巻取機８はこのショックアブソーバ６に連結されるとともに胴ベルト４に取り付けられている。この巻取機８はショックアブソーバ６を介してベルトと強固に連結されている。この巻取機８はショックアブソーバー無しに直接ベルトに強固に連結されていてもよい。
【００１７】
図２は、図１の巻取機８の内部構造が示された正面概念図である。この図２に示された内部構造は、図示されていない樹脂ケースに覆われている。図３は、図１の巻取機８の内部構造が示された底面概念図である。図２の左右方向が水平方向である。この巻取機８は、フレーム１２、主軸１４、ドラム１６及びストラップ１８を備えている。ストラップ１８は、命綱である。このストラップ１８としては、平ロープ、平ベルト及びロープが例示される。ストラップ１８は必ずしも平たいベルト状のものに限られない。
【００１８】
この巻取機８は、ストラップ繰出方向規制機構１９を備えている。ストラップ繰出方向規制機構１９は、ラチェット歯車２０、レバー２２、支持軸２４、ストッパー２６及び弾性体２８により構成されている。図２では、巻取機８からストラップ１８が斜め上方に繰り出されている。図１では、巻取機８のストラップ繰出口２９からストラップ１８が繰り出されている。このストラップ１８の先端にフック１０が取り付けられている。
【００１９】
フレーム１２は、第一フレーム３０及び第二フレーム３２からなる。フレーム１２は、図示されていない樹脂ケースに固定されている。第一フレーム３０は、金属板を略Ｕの字に折り曲げた形状である。第一フレーム３０は第一プレート３４、第二プレート３６及び連結部３８を備えている。第一プレート３４と第二プレート３６とは対向してその平面が互いに略平行に向き合っている。第一プレート３４及び第二プレート３６には、主軸孔４０が形成されている。第一プレート３４と第二プレート３６とは連結部３８を介して一体である。連結部３８はＵ字状に折り曲げられている。このＵ字状部分には、ショックアブソーバ６に取り付けるための図示されていない金具が通される。金具としては、軸、環が例示できる。
【００２０】
第二フレーム３２は、第一フレーム３０に固定されている。第二フレーム３２は第一プレート３４と第二プレート３６の間であって、第一プレート３４の内側面に固定されている。第二フレーム３２は、平板状である。第二フレーム３２は、第一プレート３４の平面にほぼ平行に鋲着されている。第二フレーム３２は第一プレート３４に固定されていればよく、固定方法は特に制限されない。この実施形態では、第一フレーム３０と第二フレーム３２とは別体としたが、一体のフレーム１２から構成されていてもよい。
【００２１】
第一プレート３４及び第二プレート３６の主軸孔４０には主軸１４が回動可能に取り付けられている。主軸１４には、ドラム１６が一体に固定されている。ドラム１６は第一プレート３４と第二プレート３６との間に配置されている。ドラム１６は、主軸１４と一体でフレーム１２に対して回動可能である。ドラム１６には、ストラップ１８の一端が固定されている。ストラップ１８はドラム１６に巻き取られて収容されている。  ドラム１６は、軸方向両端に鍔３９を備えている。この鍔３９は、ドラム１６の円筒形状の半径方向外向きに延びている。鍔３９はドラム１６に巻き取られたストラップ１８の軸方向ガイドである。
【００２２】
ラチェット歯車２０と第二フレーム３２とは第一プレート３４を間にして対向して配置されている。ラチェット歯車２０は円板形状である。ラチェット歯車２０の中心の軸孔に主軸１４が通されて一体に固定されている。ラチェット歯車２０はその外周に歯２１を備えている。この歯２１は、ラチェット歯車２０の外周に等間隔に複数設けられている。図２では６つの歯２１を備えている。ラチェット歯車２０はドラム１６と一体に回転可能にされている。
【００２３】
図４は、図１に示された巻取機８のレバー２２の外観図である。レバー２２は、本体４１、案内部４２及びアーム４４を備えている。本体４１は略円筒形状であり、その中心に軸孔４６が形成されている。案内部４２は本体４１の略円筒形の外周面から軸孔４６に垂直な一方の向きに凸形状に形成されている。アーム４４は、本体４１の略円筒形の外周面であって、軸孔４６を間にして案内部４２に対向する位置に形成されている。アーム４４は、案内部４２とほぼ反対の向きに本体４１から延びている。アーム４４は軸孔４６の軸方向に延びる部分と、その部分から軸孔４６に垂直な向きに延びる部分からなっている。
【００２４】
図２に示されているように、支持軸２４は第二フレーム３２に固定されている。支持軸２４は、巻取機８のストラップ繰出口２９近傍に位置している。支持軸２４は主軸１４と平行に配置されている。支持軸２４はレバー２２の軸孔４６に通されている。これによりレバー２２は、第二フレーム３２に回動可能に支持されている。
【００２５】
ストッパー２６は、第二フレーム３２に固定されている。ストッパー２６は、ラチェット歯車２０の歯２１の近傍に位置している。ストッパー２６は、ラチェット歯車２０からラチェット歯車２０の半径方向に所定の距離を離されて位置している。レバー２２のアーム４４の先端は、ラチェット歯車２０とストッパー２６の間に位置している。レバー２２の一方の向きの回動により、アーム４４の先端はラチェット歯車２０の歯２１に係合する。レバー２２の他方の向きの回動により、アーム４４の先端はストッパー２６に当接する。
【００２６】
弾性体２８は、第二フレーム３２とレバー２２との間に位置している。弾性体２８は、支持軸２４とストッパー２６との間でレバー２２に当接している。弾性体２８は、アーム４４がラチェット歯車２０からから離れる向きに付勢している。この弾性体２８により、アーム４４は、ストッパー２６に付勢されている。弾性体２８としては、コイルバネ、板バネ、ゴムが例示される。
【００２７】
図２では、巻取機８からストラップ１８が上方に繰り出されている。レバー２２のアーム４４は弾性体２８によりストッパー２６に付勢されている。このため、ラチェット歯車２０の回転はアーム４４によって阻止されない。ラチェット歯車２０及びドラム１６が回転してストラップ１８が繰り出される。
【００２８】
図５は、図１の巻取機８の内部構造が示された正面概念図である。図５はストラップ繰出方向規制機構１９が作動した状態が示されている。図５では、ストラップ１８が下方に繰り出されている。繰り出されたストラップ１８により、案内部４２には下方向きに力が働く。支持軸２４を中心に案内部４２が下方向きに回動させられる。この回動により、アーム４４は弾性体２８の付勢力に抗してラチェット歯車２０の方に回動させられる。アーム４４の先端がラチェット歯車２０の歯２１に係合してラチェット歯車２０の回転が阻止される。ラチェット歯車２０と一体のドラム１６の回動も阻止される。ドラム１６の回転が阻止されるため、ストラップ１８が繰り出されなくなる。このストラップ繰出方向規制機構１９を作動させるためには、レバー２２を回動させる必要がある。レバー２２の案内部４２を確実に下方向きに回動させられるため、案内部４２の先端側をレバー本体４１の略円筒形状の外周面より上方に位置させることが好ましい。
【００２９】
このストラップ繰出方向規制機構１９により、ストラップ１８の下方への繰り出しが阻止される。作業者はストラップ１８を水平方向若しくは上方に繰り出すこととなる。フック１０が下方の構造物に係止されることが抑止される。この巻取機８は作業者の腰に巻かれる胴ベルト４に取り付けられている。これにより作業者の腰より低い方向にフック１０を係合することが抑制される。
【００３０】
この巻取機８は、ストラップ巻取機構４７を備えている。この巻取機構４７は、ストラップ１８を常時巻き取ろうとする機能を有する。。図３に示されているように、ストラップ巻取機構４７は、渦巻きバネ４８を備えている。この渦巻きバネ４８の一端は第二プレート３６に固定されている。バネ４８の他端は、主軸１４に連結されている。この渦巻きバネ４８により主軸１４及びドラム１６には、ストラップ１８を巻き戻す回転向きの付勢力が働いている。ストラップ１８は、渦巻きバネ４８の付勢力に抗して巻取機８から繰り出される。ストラップ１８が弛むとその弛んだ長さの分だけ、渦巻きバネ４８の付勢力により巻き取られる。このストラップ巻取機構４７により、この巻取機８では、作業者の作業中に不必要なストラップ１８の弛みが生じない。
【００３１】
フック１０が作業者の腰より上方の構造物に係止された巻取機８では、作業者がフック１０の係止位置より離れる時に、ストラップ１８が繰り出される。作業中に不必要なストラップ１８の弛みが生じると、常時巻き取り機能によりストラップ１８が巻き取られる。フック１０が腰より下方に係止された巻取機８では、ストラップ繰出方向規制機構１９によりストラップ１８の繰出が制限される。作業者がフック１０の係止位置より離れる時に、ストラップ１８が繰り出されない。この巻取機８では、ストラップ１８の繰り出しのため、フック１０を上方に係止することとなる。巻取機８は、ストラップ繰出方向規制機構１９及びストラップ巻取機構４７を備えることが好ましい。
【００３２】
この巻取機８は、ストラップ巻取ロック機構４９を備えている。ストラップ巻取ロック機構４９は、常時巻き取り機能をロックする機能を有する。巻取機８のストラップ巻取ロック機構４９は、切換レバー５０、カム５２、ピン５４、カム軸５６及び弾性体５８を備えている。切換レバー５０は、本体６０の上部に切換つまみ６２を備えている。切換レバー５０は、本体６０の一方の端には長孔６４を備えている。本体６０の他方の端には先端部６６を備えている。カム５２は、本体６８の略中央部に軸孔７０を備えている。一方の端には受け部７２を備え、その受け部７２に連続して軸孔７０側に凹部７４を備えている。他方の端には爪７６を備えている。
【００３３】
切換レバー５０は、図示されていない樹脂ケースに固定されたピン５４に、長孔６４が摺動可能に取り付けられている。ピン５４は第二フレーム３２に固定されていても良い。先端部６６はカム５２の受け部７２に当接している。カム５２は第二フレーム３２に固定されたカム軸５６に回動可能に取り付けられている。カム５２は弾性体５８により爪７６がラチェット歯車２０の歯２１に係合する向きに付勢されている。切換レバー５０の先端部６６が受け部７２に当接して、カム５２がラチェット歯車２０の歯２１に係合する向きへの回動が阻止されている。
【００３４】
切換レバー５０の切換つまみ６２が右方向に押されると、本体６０が右方向に移動する。先端部６６がカム５２の受け部７２から外れ、凹部７４の上方に移動する。カム５２は、先端部６６による回動阻止が解除される。カム５２は、弾性体５８の付勢より、爪７６がラチェット歯車２０側へ移動する向きに回動する。爪７６がラチェット歯車２０の歯２１に係合する。これによりラチェット歯車２０のストラップ１８巻き取り方向の回転が阻止される。このストラップ巻取ロック機構４９は、ストラップ１８に余裕を持たせ、作業者の作業性を向上させるものである。
【００３５】
この巻取機８では、ストラップ繰出方向規制機構１９及びストラップ巻取ロック機構４９のラチェット歯車２０が兼用されている。ラチェット歯車２０の歯２１はストラップ１８の繰り出し回転向き及び巻き取り回転向きのいずれの向きにも係止面を備えている。この構造では、ストラップ巻取ロック機構４９を備えた巻取機８であれば、ストラップ繰出方向規制機構１９を加えるための部品点数も少なくできる。ストラップ繰出方向規制機構１９は容易に追加することができる。
【００３６】
図６は、図１の巻取機８のストラップ急激繰出防止機構７７の概念図である。この巻取機８は、ストラップ急激繰出防止機構７７を備えている。ストラップ急激繰出防止機構７７は、落下時の急激なストラップ繰り出しを防止する機能を有する。ストラップ急激繰出防止機構７７は、遠心爪７８、ピン８０、弾性体８２及び第二フレーム３２からなる。遠心爪７８は爪８４、ピン孔８６及び弾性体係止孔８８を備えている。第二フレーム３２は、中央部が空洞な円板状である。この空洞の中央部の内周面には、遠心爪７８の爪８４が係合可能な爪受け歯９０が形成されている。ピン８０は、第二フレーム３２側のドラム１６の側面に固定されている。このピン８０に遠心爪７８のピン孔８６が回動可能に取り付けられる。弾性体係止孔８８には弾性体８２の一端が係止される。弾性体８２の他端はドラム１６の側面に固定されている。この弾性体８２により、遠心爪７８は主軸１４の向きに付勢されている。
【００３７】
ストラップ１８を繰り出す急激な回転がドラム１６に働くと、ドラム１６に回動可能に取り付けられた遠心爪７８に遠心力が働く。遠心力により、弾性体８２の付勢力に抗して爪８４が主軸１４から離れる向きに回動させられる。爪８４は、第二フレーム３２の爪受け歯９０に係合する。この係合により、ドラム１６のストラップ繰り出し向きの回転が阻止され、急激なストラップ１８の繰り出しが阻止される。これにより、作業者が万一落下した際にもストラップ１８の繰り出し距離が短くされる。
【００３８】
ストラップ急激繰出防止機構７７により、作業者が落下した際のストラップ１８の繰り出しが制限される。ストラップ繰出方向規制機構１９により、フック１０は作業者の上方の建造物に係止される。この二つの機構の組み合わせにより作業者の落下距離を短くできる。更に前述のストラップ巻取機構４７を組み合わせることで、作業者の作業の際のストラップ１８の繰り出し長さが短くできる。ストラップ繰出方向規制機構１９、ストラップ急激繰出防止機構７７及びストラップ巻取機構４７を備えた巻取機８は作業者の落下距離を最小限にできる。
【００３９】
図７は、本発明の他の実施形態に係る巻取機８が示された概念図である。ここでは、一の実施形態と異なる構成について説明される。一の実施形態と同じ構成についてはその説明が省略される。この実施形態では、巻取機８はレバー９２を備えている。
【００４０】
図８は、図７に示された巻取機８のレバー９２の外観図である。このレバー９２には、案内部４２に代えて案内口９４が形成されている。案内口９４は中央部が開口になっている。案内口９４の中央部にストラップ１８が通される。
【００４１】
図７に示された弾性体２８はアーム４４をラチェット歯車２０に向けて付勢している。図７ではストラップ１８が上方に繰り出されている。ストラップ１８が上方に繰り出されると、案内口９４を上方へ回動させる力が働く。アーム４４は下方へ回動させられる。アーム４４は、弾性体２８の付勢力に抗してストッパー２６に押し当てられる。アーム４４は、ラチェット歯車２０の歯２１との係合が解除されている。これによりストラップ１８は繰り出される。案内口９４は略四角形の枠体としたが、この形状に限られるものではない。ストラップ１８が上方に持ち上げられると、案内口９４を上方へ回動させる力が働く形状であればよい。
【００４２】
図示されていないが、ストラップ１８が下方に繰り出されると、案内口９４には上方へ回動させる力が働かない。弾性体２８の付勢力により、アーム４４の先端はラチェット歯車２０の歯２１に係合する。これによりラチェット歯車２０及びドラム１６は、ストラップ１８を繰り出す方向への回転が阻止される。この巻取機８では、通常ストラップ１８が繰り出されない状態にある。この巻取機８では、ストラップ１８は下方に繰り出すことが防止されている。
【００４３】
この実施形態でも、一実施形態と同様に、ストラップ巻取機構４７、ストラップ急激繰出防止機構７７及びストラップ巻取ロック機構４９と組み合わせることができる。この組み合わせにより、作業者の落下距離は最小限にすることができ、部品点数も少なくできる。
【産業上の利用可能性】
【００４４】
本発明は、電気工事、建設工事及び土木工事他の高所作業に使用される安全帯用巻取機に適用されうる。高所作業で通常使用される主ストラップ用の巻取機について説明されたが、主ストラップのフックの係止替えの間に使用される補助ストラップ用巻取機にも使用されうる。
【図面の簡単な説明】
【００４５】
【図１】図１は、本発明の一実施形態に係る巻取機を備えた安全帯が示された概念図である。
【図２】図２は、図１の巻取機の内部構造が示された正面概念図である。
【図３】図３は、図１の巻取機の内部構造が示された底面図である。
【図４】図４は、図１の巻取機のレバーが示された外観図である。
【図５】図５は、図１の巻取機の内部構造が示された正面概念図である。
【図６】図６は、図１の巻取機のストラップ急激繰出防止機構の概念図である。
【図７】図７は、本発明の他の実施形態に係る巻取機が示された概念図である。
【図８】図８は、図７の巻取機のレバーが示された外観図である。
【符号の説明】
【００４６】
２・・・安全帯
４・・・胴ベルト
６・・・ショックアブソーバ
８・・・巻取機
１０・・・フック
１２・・・フレーム
１４・・・主軸
１６・・・ドラム
１８・・・ストラップ
１９・・・ストラップ繰出方向規制機構
２０・・・ラチェット歯車
２１・・・歯
２２・・・レバー
２４・・・支持軸
２６・・・ストッパー
２８・・・弾性体
２９・・・ストラップ繰出口
３０・・・第一フレーム
３２・・・第二フレーム
３４・・・第一プレート
３６・・・第二プレート
３８・・・連結部
３９・・・鍔
４０・・・主軸孔
４１・・・本体
４２・・・案内部
４４・・・アーム
４６・・・軸孔
４７・・・ストラップ巻取機構
４８・・・渦巻きバネ
４９・・・ストラップ巻取ロック機構
５０・・・切換レバー
５２・・・カム
５４・・・ピン
５６・・・カム軸
５８・・・弾性体
６０・・・本体
６２・・・切換つまみ
６４・・・長孔
６６・・・先端部
６８・・・本体
７０・・・軸孔
７２・・・受け部
７４・・・凹部
７６・・・爪
７７・・・ストラップ急激繰出防止機構
７８・・・遠心爪
８０・・・ピン
８２・・・弾性体
８４・・・爪
８６・・・ピン孔
８８・・・弾性体係止孔
９０・・・爪受け歯
９２・・・レバー
９４・・・案内口
【図１】
0004855424.tif 000002
【図２】
0004855424.tif 000003
【図３】
0004855424.tif 000004
【図４】
0004855424.tif 000005
【図５】
0004855424.tif 000006
【図６】
0004855424.tif 000007
【図７】
0004855424.tif 000008
【図８】
0004855424.tif 000009